(57)【要約】【課題】玄関の限られたスペースを有効に使用して、多様な外出時に必要なものを効率よく収納する玄関用収納家具を提供する。【解決手段】外出時に使用する物品を収納すべく複数の収納部を組み合わせてなる玄関に配置される玄関用収納家具であって、底板と該底板に立設される側板と該側板の上に位置する天板からなり内部に上下方向の空間を仕切る棚板を有する複数の収納部及び前記収納部を塞ぐ扉を備え、前記棚板上に左右方向の空間をに二つに仕切る仕切板を設け、前記分けられた空間の小さい方の空間の左右の幅が男性用の靴を２足置ける大きさにされてなることを特徴とする玄関用収納家具。【選択図】図1
0003153189.tif 000002
【実用新案登録請求の範囲】
【請求項１】
外出時に使用する物品を収納すべく複数の収納部を組み合わせてなる玄関に配置される玄関用収納家具であって、
底板と該底板に立設される側板と該側板の上に位置する天板からなり内部に上下方向の空間を仕切る棚板を有する複数の収納部及び前記収納部を塞ぐ扉を備え、前記棚板上に左右方向の空間をに二つに仕切る仕切板を設け、前記分けられた空間の小さい方の空間の左右の幅が男性用の靴を２足置ける大きさにされてなることを特徴とする玄関用収納家具。
【請求項２】
前記棚板が上下に移動可能であることを特徴とする請求項１に記載の玄関用収納家具。
【請求項３】
前記扉に傘掛けを設けたことを特徴とする、請求項１又は２に記載の玄関用収納家具。
【請求項４】
前記扉に小物掛けを設けたことを特徴とする、請求項１乃至３何れか1項に記載の玄関用収納家具。
【請求項５】
一番下に位置する前記収納部の底板が着脱式になっていることを特徴とする、請求項１乃至４何れか1項に記載の玄関用収納家具。
【考案の詳細な説明】
【技術分野】
【０００１】
本考案は、玄関に配置されて、靴や傘等を効率よく収納しておくために使用される玄関用収納家具に関するものである。
【背景技術】
【０００２】
玄関に配置される収納家具は、靴や傘の他にベビーバギーや買い物カート等多様なものを整理して収納しておくものであるが、近年におけるこの種の玄関用収納家具は、その形状を固定的に規格化したものよりも、例えば特許文献１において提案されているような、複数の収納部を適宜組み合わせて構成することができるようにしたものが有る。
【０００３】
組み合わせ収納家具は、使用者の好みに十分応ずることができるからであり、また玄関の空間に合わせて組み合わせ方を変えることができるからである。
【０００４】
さらに、収納家具を構成する部品を組み合わせることで、よりきめ細かい使用者の要求に応えるものが特許文献２に開示されている。
【０００５】
また、収納家具の中の棚を移動可能にして、使用者の使い勝手を向上させたものが特許文献３に開示されている。
【先行技術文献】
【特許文献】
【０００６】
【特許文献１】特開昭５５−５２７１２号公報
【特許文献２】特開平１１−２０６４８８号公報
【特許文献３】特開２０００−２０１７４８号公報
【考案の概要】
【考案が解決しようとする課題】
【０００７】
しかしながら、マンションのように予め収納家具が備え付けれらているものでは、特許文献１および特許文献２に記載された組み合わせ収納家具では、適用が困難である。また、特許文献３に開示されている移動棚は奥行きの深い押入れなどに適用されるもので、玄関に置かれる奥行きの浅い収納家具への適用は不適当である。そして、マンション等に予め設置されている玄関用収納家具においては、外出に必要な、靴や傘の他にベビーバギーや買い物カート等多様なものを整理して収納することに使用者は不便を感じている。
【０００８】
本考案は以上のような実情に鑑みてなされたもので、その解決しようとする課題は、使用者の外出時に必要な多様な物をマンション等の玄関で効率よく収納することである。
【０００９】
そして、本考案の目的とするところは、マンション等の玄関の限られたスペースを有効に使用して、多様な外出時に必要なものを効率よく収納する玄関用収納家具提供することにある。
【課題を解決するための手段】
【００１０】
上記の課題を解決するために、請求項１に記載された玄関用収納家具は、外出時に使用する物品を収納すべく複数の収納部を組み合わせてなる玄関に配置される玄関用収納家具であって、底板と該底板に立設される側板と該側板の上に位置する天板からなり内部に上下方向の空間を仕切る棚板を有する複数の収納部及び前記収納部を塞ぐ扉を備え、前記棚板上に左右方向の空間をに二つに仕切る仕切板を設け、前記分けられた空間の小さい方の空間の左右の幅が男性用の靴を２足置ける大きさにされてなることを特徴とする。
【００１１】
請求項１に記載された考案は、玄関用収納家具の前記棚板上で左右の空間を仕切る仕切板の位置が、狭い方の空間に丁度男性用の靴が２足置ける位置に置かれれているので、無駄な空間が出来ない。
【００１２】
請求項２に記載された玄関用収納家具は、前記棚板が上下に移動可能であることを特徴としており、収納するものの高さに応じて、棚板の間隔を調整することができる。
【００１３】
請求項３に記載された玄関用収納家具は、前記扉に傘掛けを設けたことを特徴としており、複数の傘を扉に掛けることができる。
【００１４】
請求項４に記載された玄関用収納家具は、前記扉に小物掛けを設けたことを特徴としており、洋服ブラシ、靴べら、鍵などのこものを収納することができる。
【００１５】
請求項５に記載された玄関用収納家具は、前記収納部の底板が着脱式になっていることを特徴としており、必要に応じて底板を取り外してベビーバギーやキャスター付きの旅行鞄を床に転がしながら収納することができる。
【考案の効果】
【００１６】
以上のように構成した本考案に係る玄関用収納家具においては、棚板の仕切板の位置が仕切り板により区分される狭い方の空間の幅が丁度男性用の靴２足が収まる位置に置かれるので、従来のような無駄な空間を生まずに効率的に靴などを収納することができる。
【００１７】
また、棚板が上下に調整可能になっているので、収納物の高さに応じて、棚板の間隔を調整することができ、効率的な収納を実現する。
【００１８】
また、扉に傘掛けや小物掛けを備えていることから、収納部と扉の間の空間を有効につかって、効率的で使用者が使いやすい玄関用収納家具を実現している。
【００１９】
さらに、一番下の収納部の底板が着脱可能になっていることから、必要に応じて底板を外して、床に転がしながら、キャスター付きの旅行鞄やベビーバギー等の重量のあるものを床を転がしながら収納することができる。
【図面の簡単な説明】
【００２０】
【図１】本考案に係る玄関用収納家具の全体図である。
【図２】（ａ）本考案の棚板上の仕切板の位置を示す図である。（ｂ）従来の棚板上の仕切板の位置を仕切板を示す図である。
【図３】本考案の扉に取り付けられた傘掛けを示す図である。
【図４】（ａ）本考案の扉に取り付けられた横棒にフックが付いた小物掛けを示す図である。（ｂ）本考案の扉に取り付けられたフックが直接扉に付いた小物掛けを示す図である。
【図５】本考案の、一番下に位置する収納部の底板を外した説明図である。
【図６】従来の玄関用収納家具の説明図である。
【考案を実施するための形態】
【００２１】
次に、本考案に係る玄関用収納家具を、図面に示した実施例に従って詳細に説明する。
【００２２】
図１には本考案に係る玄関用収納家具１００の正面図が示してあり、この玄関用収納家具１００は底板１１０に側板１１１がほぼ垂直に取り付けられ、側板１１１の上には天板１１２が固定され、底板１１０と天板１１２の間の空間を棚板１１３で区切られて、様々な物品を収納する収納部が形成される。
【００２３】
さらに、収納部の前部を覆う扉１０４が蝶番で取り付けられていて、扉１０４は開閉自由になっている。
【００２４】
従来の玄関用収納家具は、図６に示すように、棚板の横方向が固定されており、無駄な空間、１２０、１２１、１２２などが生じていた。
【００２５】
棚板上の無駄な空間を無くすには、収納する物の寸法に応じて、棚板を仕切る必要がある。図２（ｂ）は、従来の棚板を仕切る仕切板が固定されている様子を示している。例えば、１２０ｃｍ幅の棚では、図２（ｂ）に示すように、狭い方横幅が約４０ｃｍとなっており、この寸法では、男性用の靴を２足納めることは困難である。一方広い方の棚の空間には３足の靴を入れることとなり、合計で４足の靴を収納する。
【００２６】
ここで、図２（ａ）に示すように、棚板全体の幅が１２０ｃｍの場合に、棚板の仕切板位置を工夫して、狭い方の幅を約５０ｃｍとすると、ここへ男性用の靴を２足並べることが可能となる。そして、残った広い方の棚には、３足の靴が置けるので、従来に比べ一足分多く５足の靴を収納することができる。なお、価格面の制約はあるが、この仕切板を左右方向に可変にすることで、女性用、男性用を問わずにそれぞれの靴の幅に対応することもできる。
【００２７】
また、棚板は上下に移動可能になっているので、背の高い靴なども、靴の高さに応じた棚板の間隔とすることで、無駄なく効率的に収納することができる。棚板の上下の移動は、側板にレールを設けて、そこへ棚板のピンを入れても良く、また、側板に係止孔を設け、そこへ係止片を入れて、係止片により棚板を支えることで、棚板間の間隔を調整しても良い。
【００２８】
次に、本考案の実施例に係る玄関用収納家具の扉について説明する。図６に示す様に、従来、傘は収納家具本体の収納部に設けられた傘立てに収納されることが多かった。しかし、この収納方法では、傘の傾きなどにより、図６に示すように無駄な空間１２１、１２２を生じていた。
【００２９】
この無駄な空間を無くして、効率的に傘を収納するために、本考案の実施例に係る玄関用収納家具の扉には、図３に示すような傘掛け１０が備えられている。この傘掛けは、収納部と扉との間の空間を使うものである。従来、前記収納部の棚板前端と扉との間の空間は十分に活用されていなかったが、本考案は、前記収納部の棚板の奥行を靴を載せることができる最小限の寸法で形成して、従来のものよりその奥行を浅く形成し、また、収納家具全体の奥行を僅かに増加させることにより、前記棚板前端と扉との間に十分に広い空間を形成して、扉に設けた傘掛けに複数の傘を収納できるようにした。傘掛けは、傘の柄を掛けるだけでもよいが、傘の本体を抑えるように、扉との間に空間を設けた構造としても良い。このように構成することで、傘が見た目にもすっきりと収納され、無駄な空間が無くなって効率的に収納されることとなる。
【００３０】
また、図４には、本考案の実施例に係る玄関用収納家具の扉に付けられた小物掛けを示す。玄関に置かれる小物としては、鍵、袋、ライト、洋服ブラシ、靴べらなどがある。図４（ａ）に示すように、小物掛けは、横方向に棒１１を扉に取り付け、この棒１１にフック１２を取り付けて構成される。また、図４（ｂ）に示すように、フックを直接扉に取り付けても良い。
【００３１】
図５には、最下段に位置する収納部の底板を外した状態が示してある。底板を着脱自在に構成することで、必要に応じて、底板を取り外すことができるので、床に車輪を転がすベビーバギーやキャスター付きの旅行鞄などを、持ち上げることなく、床を転がして、収納することができる。
【産業上の利用可能性】
【００３２】
本考案は、従来の玄関用収納家具に比べ、マンション等の限られた空間を有効に利用して、使用者の多様な要求に応える玄関用収納家具を提供する。
【符号の説明】
【００３３】
１    棚板
２    側板
３    仕切板
４    端板上の無駄な空間
５    戻り止め部
６    鍼収納容器保持具の裏面
１０  扉に取り付けられた傘掛け
１１  扉に取り付けられた小物掛けの横棒
１２  扉に取り付けられた小物掛けの横棒のフック
１００  玄関用収納家具
１０１  玄関用収納家具の第１収納部
１０２  玄関用収納家具の第２収納部
１０３  玄関用収納家具の第３収納部
１０４  玄関用収納家具の扉
１１０  玄関用収納家具の底板
１１１  玄関用収納家具の側板
１１２  玄関用収納家具の天板
１２０〜１２２  玄関用収納家具の収納部の無駄な空間
【図１】
0003153189.tif 000003
【図２】
0003153189.tif 000004
【図３】
0003153189.tif 000005
【図４】
0003153189.tif 000006
【図５】
0003153189.tif 000007
【図６】
0003153189.tif 000008